(57)【特許請求の範囲】
【請求項１】
操作画面をキャプチャして生成されたキャプチャ画像を記録する記録装置において、
前記操作画面上でのポインティングデバイスのカーソルの位置を示すカーソル位置情報に基づいて前記カーソルの移動距離を算定するカーソル移動距離算定部と、前記移動距離に基づいて積算移動距離を計数する移動距離積算部と、前記積算移動距離が設定された目標移動距離に達する毎にキャプチャ信号を出力するキャプチャ信号出力部と、前記キャプチャ信号に基づいて前記操作画面からキャプチャ画像を生成するキャプチャ画像生成部と、を備える記録装置。
【請求項２】
前記操作画面を区画毎に分割する操作画面分割部を備えると共に、
前記目標移動距離が、前記区画毎に設定される請求項１に記載の記録装置。
【請求項３】
前記目標移動距離が、前記区画毎に分割された区画内に表示される表示物に応じて変更される請求項２に記載の記録装置。
【請求項４】
操作画面をキャプチャして生成されたキャプチャ画像を記録する記録装置において、
前記操作画面を区画毎に分割する操作画面分割部と、前記操作画面上でのポインティングデバイスのカーソルの位置を示すカーソル位置情報に基づいて前記カーソルの移動距離を算定するカーソル移動距離算定部と、前記区画毎に移動距離係数を決定する移動距離係数決定部と、前記移動距離と前記移動距離係数とに基づいて、移動ポイントを算定する移動ポイント算定部と、前記移動ポイントが予め設定された生成ポイントに達する毎に出力されるキャプチャ信号の信号出力タイミングに基づいて、前記操作画面からキャプチャ画像を生成するキャプチャ画像生成部と、を備える記録装置。
【請求項５】
操作画面をキャプチャして生成されたキャプチャ画像を記録する記録装置のためのプログラムにおいて、
前記操作画面上でのポインティングデバイスのカーソルの位置を示すカーソル位置情報に基づいて前記カーソルの移動距離を算定するカーソル移動距離算定機能と、前記移動距離に基づいて積算移動距離を計数する移動距離積算機能と、前記積算移動距離が設定された目標移動距離に達する毎にキャプチャ信号を出力するキャプチャ信号出力機能と、前記キャプチャ信号に基づいて前記操作画面からキャプチャ画像を生成するキャプチャ画像生成機能と、をコンピュータに実行させる記録装置のためのプログラム。
【請求項６】
操作画面をキャプチャして生成されたキャプチャ画像を記録する記録装置のためのプログラムにおいて、
前記操作画面を区画毎に分割する操作画面分割機能と、前記操作画面上でのポインティングデバイスのカーソルの位置を示すカーソル位置情報に基づいて前記カーソルの移動距離を算定するカーソル移動距離算定機能と、前記区画毎に移動距離係数を決定する移動距離係数決定機能と、前記移動距離と前記移動距離係数とに基づいて、移動ポイントを算定する移動ポイント算定機能と、前記移動ポイントが予め設定された生成ポイントに達する毎に出力されるキャプチャ信号の信号出力タイミングに基づいて、前記操作画面からキャプチャ画像を生成するキャプチャ画像生成機能と、をコンピュータに実行させる記録装置のためのプログラム。
【発明の詳細な説明】
【技術分野】
【０００１】
本発明は、操作画面をキャプチャして生成されたキャプチャ画像を記録する記録装置とそのような記録装置のためのプログラムに関する。
【背景技術】
【０００２】
近年、イントラネットやローカルエリアネットワーク等のネットワークの普及と共に、ネットワークに接続されたコンピュータ端末の監視やネットワークを利用した授業等の目的として、遠隔にあるコンピュータ端末の操作状況を確認するケースが増加している。このような目的を達成する技術の一つとして、コンピュータ端末の操作画面をキャプチャし、そのキャプチャ画像を確認することにより、コンピュータ端末の操作状況を把握する技術がある（例えば、特許文献１）。この特許文献１に係る遠隔制御システムでは、遠隔制御サーバとクライアント端末が通信ネットワークを介して接続されており、遠隔制御サーバにおいてクライアント端末からのアクセス要求情報を受け付ける構成としている。クライアント端末ではモニタに表示されている画像データを遠隔制御サーバに送信し、遠隔制御サーバでは受信した画像データをモニタに表示すると共に、遠隔制御サーバのキャプチャ画像記録手段が、クライアント端末の画面をキャプチャ画像として、所定のインターバルで操作ログに記録し、この記録後に遠隔制御サーバのログ再生処理部が操作ログに記録されたキャプチャ画像の再生を行っている。しかしながら、この特許文献１に係る技術では、単にキャプチャ画像を再生するだけであり、例えば、再生画面内にマウスカーソルがあり、そのマウスカーソルが素早く移動した場合には、再生画面を見ている人がマウスカーソルを見失ってしまうといった問題があった。
【０００３】
【特許文献１】特開２００６−１０８９４７号公報（段落番号００５１等）
【発明の開示】
【発明が解決しようとする課題】
【０００４】
本発明の目的は、上記問題に鑑み、記録されたキャプチャ画像を再生する際、ユーザの目がポインティングデバイスのカーソルの動きに追従しやすいように記録する記録装置とそのような記録装置のためのプログラムを提供することである。
【課題を解決するための手段】
【０００５】
本目的を達成するための本発明に係る、操作画面をキャプチャして生成されたキャプチャ画像を記録する記録装置の特徴構成は、前記操作画面上でのポインティングデバイスのカーソルの位置を示すカーソル位置情報に基づいて前記カーソルの移動距離を算定するカーソル移動距離算定部と、前記移動距離に基づいて積算移動距離を計数する移動距離積算部と、前記積算移動距離が設定された目標移動距離に達する毎にキャプチャ信号を出力するキャプチャ信号出力部と、前記キャプチャ信号に基づいて前記操作画面からキャプチャ画像を生成するキャプチャ画像生成部と、を備える点にある。
【０００６】
このような特徴構成とすれば、ポインティングデバイスのカーソルが、一定距離進む毎にキャプチャ画像を生成することができるため、カーソルの移動距離が一定となるようにキャプチャ画像を記録することが可能となる。したがって、操作画面においてカーソルの動きが不規則であっても、記録されたキャプチャ画像を読み出して再生するだけでカーソルの移動が一定となるように再生できるため、カーソルの視認が容易となり、ユーザがカーソルを見失うことなく目で追いかけやすくすることができる。
【０００７】
また、前記記録装置は、前記操作画面を区画毎に分割する操作画面分割部を備えると共に、前記目標移動距離が、前記区画毎に設定されると好適である。
【０００８】
このような構成であれば、操作画面分割部によって操作画面を区画毎に分割し、当該分割された区画毎に設定された目標移動距離に、ポインティングデバイスのカーソルの積算移動距離が到達する毎に操作画面からキャプチャ画像を生成するため、カーソルの位置に応じてキャプチャ画像を生成するタイミングを変更することができる。
【０００９】
また、前記記録装置は、前記目標移動距離が、前記区画毎に分割された区画内に表示される表示物に応じて変更されると好適である。
【００１０】
このような構成であれば、所定区画内に表示物として、例えば操作対象として注視すべきアイコンやアプリケーションのウィンドウ等がある場合には目標移動距離を小さく設定することにより、その区画内にカーソルが位置する場合にはキャプチャ画像をより多く生成することができる。したがって、再生時においてカーソルの動きを細かく再生することができ、カーソルの動きをより注意して見ることができる。
【００１１】
また、本目的を達成するための本発明に係る、操作画面をキャプチャして生成されたキャプチャ画像を記録する記録装置の他の特徴構成は、前記操作画面を区画毎に分割する操作画面分割部と、前記操作画面上でのポインティングデバイスのカーソルの位置を示すカーソル位置情報に基づいて前記カーソルの移動距離を算定するカーソル移動距離算定部と、前記区画毎に移動距離係数を決定する移動距離係数決定部と、前記移動距離と前記移動距離係数とに基づいて、移動ポイントを算定する移動ポイント算定部と、前記移動ポイントが予め設定された生成ポイントに達する毎に出力されるキャプチャ信号の信号出力タイミングに基づいて、前記操作画面からキャプチャ画像を生成するキャプチャ画像生成部と、を備える点にある。
【００１２】
このような特徴構成であれば、カーソルの移動距離と移動距離係数とに基づいて演算された移動ポイントに応じてキャプチャ画像の生成を容易に行うことができる。したがって、操作画面においてカーソルの動きが不規則であっても、そのままキャプチャ画像格納部から読み出すだけでカーソルの移動を区画毎に設定された移動距離係数に応じて再生できるため、カーソルの視認が容易となり、カーソルを見失うことなく目で追いかけやすくすることができる。また、区画毎に移動距離係数が設定されるため、例えば重要度の低い区画では移動距離係数を大きく設定することにより、生成するキャプチャ画像を減らすことが可能となる。したがって、記録容量を低減することができる。
【００１３】
更に、本発明では、操作画面をキャプチャして生成されたキャプチャ画像を記録する記録装置に好適に用いられるプログラムも権利範囲としており、そのコンピュータプログラムの特徴構成は、前記操作画面上でのポインティングデバイスのカーソルの位置を示すカーソル位置情報に基づいて前記カーソルの移動距離を算定するカーソル移動距離算定機能と、前記移動距離に基づいて積算移動距離を計数する移動距離積算機能と、前記積算移動距離が設定された目標移動距離に達する毎にキャプチャ信号を出力するキャプチャ信号出力機能と、前記キャプチャ信号に基づいて前記操作画面からキャプチャ画像を生成するキャプチャ画像生成機能と、をコンピュータに実行させる点にある。
【００１４】
また、本発明では、記録装置のための他のプログラムも権利範囲としており、そのコンピュータプログラムは、前記操作画面を区画毎に分割する操作画面分割機能と、前記操作画面上でのポインティングデバイスのカーソルの位置を示すカーソル位置情報に基づいて前記カーソルの移動距離を算定するカーソル移動距離算定機能と、前記区画毎に移動距離係数を決定する移動距離係数決定機能と、前記移動距離と前記移動距離係数とに基づいて、移動ポイントを算定する移動ポイント算定機能と、前記移動ポイントが予め設定された生成ポイントに達する毎に出力されるキャプチャ信号の信号出力タイミングに基づいて、前記操作画面からキャプチャ画像を生成するキャプチャ画像生成機能と、をコンピュータに実行させる点にある。
【００１５】
これらの記録装置のためのプログラムも、上述した本発明の対象としての記録装置と同様に、上述した作用効果を得ることが可能である。
【発明を実施するための最良の形態】
【００１６】
１．第一の実施形態
以下、本発明の第一の実施形態について図面に基づいて説明する。図１は、本実施形態に係る記録装置１の構成を示した図である。本記録装置１は、モニタ１Ａとポインティングデバイス１Ｂとを備え、このモニタ１Ａには、ユーザの操作に伴う操作画面が表示される。また、この操作画面にはポインティングデバイス１ＢのカーソルＣｕも表示され、このカーソルＣｕの移動はユーザの操作に応じて速く動いたり、ゆっくり動いたり、停止したりする。本記録装置１は、このような一定のスピードで移動していないカーソルＣｕの移動が、一定となるように、モニタ１Ａに表示される操作画面からキャプチャ画像を生成する機能を備えている。以下、当該機能について説明する。
【００１７】
図２は、本実施形態に係る記録装置１の概略構成を模式的に示したブロック図である。本記録装置１は、表示物情報を格納する表示物情報格納部１０と、カーソル位置情報を取得するカーソル位置情報取得部１１と、操作ログ情報を格納する操作ログ情報格納部１２とを備える。また、記録装置１は、位置評価値算定部１４、カーソル移動距離算定部１５、目標移動距離設定部１７、移動距離比較部１８、移動距離積算部１９、操作ログ判定部２０、キャプチャ信号出力部２１、キャプチャ画像生成部２２、キャプチャ画像格納部２３の各機能部も備える。以下、本記録装置１の各部の構成について説明する。
【００１８】
１−１．表示物情報格納部
表示物情報格納部１０は、表示物情報を格納する。表示物とは、モニタ１Ａに表示される操作画面に含まれるアイコンやタスクバーやアプリケーションのウィンドウ等である。そして、表示物情報とは、操作画面における表示物の位置を示す情報である。即ち、アイコンの座標を表すアイコン情報や、スタートボタンを含むタスクバーの座標を表すタスクバー情報や、アプリケーションのウィンドウの座標を表すウィンドウ情報からなる。また、この表示物情報には、上述の表示物の位置を示す情報の他に、その表示物の内容、重要度等に関する情報も含まれる。表示物の内容とは、その表示物の種別を示し、具体的にはアイコンやタスクバーやウィンドウ等の種別を示す。そして、重要度は、その表示物が操作画面において、どの程度の重要性があるかを規定するものである。この重要度は、重要であるか否かを２段階で示すようにしても良いし、３段階以上で段階的に表しても良い。
【００１９】
１−２．カーソル位置情報取得部
カーソル位置情報取得部１１は、カーソル位置情報を取得する。カーソル位置情報は、操作画面上でのポインティングデバイス１ＢのカーソルＣｕの位置を示す情報（位置情報）であり、記録装置１におけるユーザのカーソル操作に基づいて生成される。カーソル位置情報には、カーソルＣｕの位置情報が取得された取得時間と、その取得時間におけるカーソルＣｕのｘ座標及びｙ座標とからなる座標情報とが含まれる。
【００２０】
１−３．操作ログ情報格納部
操作ログ情報格納部１２は、操作ログ情報を格納する。操作ログ情報は、記録装置１を使用するユーザの操作内容や操作時間等に基づいて記録される操作ログからなる。したがって、記録装置１は、この操作ログ情報からユーザの操作状況を認識することが可能である。
【００２１】
１−４．位置評価値算定部
位置評価値算定部１４は、カーソル位置情報と表示物情報とに基づいてカーソルＣｕの位置評価値の算定を行う。この位置評価値は、カーソルＣｕの位置と表示物の位置との関係を規定する値であり、具体的には、カーソルＣｕがアイコンやタスクバーやアプリケーションのウィンドウ等の表示物上にあれば高くなる。例えば、カーソルＣｕがアイコン上に位置する場合にはアプリケーションの起動やフォルダを開く操作等の前段階である可能性が高く、タスクバー上に位置する場合にはアプリケーションの起動等の前段階である可能性が高い。また、カーソルＣｕがアプリケーションのウィンドウ上に位置する場合には、アプリケーションを操作している可能性が高い。このように、カーソルＣｕが予め設定された所定位置（表示物）上に位置している、即ちカーソル位置が所定位置に一致すると、重要な操作が行われる可能性があるとして、重要度を高くすることが可能である。したがって、位置評価値に基づいてこのような操作を事前に予測することが可能となる。一方、カーソルＣｕが、アイコン上やタスクバー上やウィンドウ上の何れにも位置しない場合には、カーソルＣｕが、それ以外の領域上で静止しているか、或いはそれ以外の領域上を移動しているかの何れかである可能性が高いことから、アプリケーションやファイルの操作等がされていないと予測することができる。このような位置評価値は、後述のキャプチャ信号出力部２１に出力される。
【００２２】
１−５．カーソル移動距離算定部
カーソル移動距離算定部１５は、操作画面上でのポインティングデバイス１ＢのカーソルＣｕの位置を示すカーソル位置情報に基づいてカーソルＣｕの移動距離の算定を行う。上述のようにカーソルＣｕの位置情報からなるカーソル位置情報はカーソル位置情報取得部１１により取得される。したがって、カーソル移動距離算定部１５はカーソル位置情報取得部１１が取得したカーソル位置情報を用いてカーソルＣｕの移動距離を算定する。カーソルＣｕの移動距離は、カーソルＣｕが移動した距離を示す値であり、カーソル位置情報に含まれるカーソルＣｕのｘ座標及びｙ座標から算定される。
【００２３】
１−６．移動距離積算部
移動距離積算部１９は、カーソルＣｕの移動距離に基づいて積算移動距離の計数を行う。積算移動距離は、カーソルＣｕの移動距離を積算して求められ、後述のキャプチャ信号出力部２１から移動距離積算部１９にキャプチャ信号が入力されるまで継続して積算される。そして、キャプチャ信号が移動距離積算部１９に入力されると積算移動距離はクリアされ、ゼロから積算される。
【００２４】
１−７．目標移動距離設定部
目標移動距離設定部１７は、目標移動距離の設定を行う。目標移動距離は、本記録装置１がキャプチャ画像を生成するタイミングを決定する際に用いられる値である。詳細は後述するが、本記録装置１は少なくともカーソルＣｕの積算移動距離が、当該目標移動距離に到達する毎に、キャプチャ画像生成部２２が操作画面からキャプチャ画像を生成する。本実施形態においては、目標移動距離は、操作画面内において一様に設定される。
【００２５】
１−８．移動距離比較部
移動距離比較部１８は、目標移動距離設定部１７により設定された目標移動距離と移動距離積算部１９により計数された積算移動距離との比較を行う。この比較結果は、積算移動距離が目標移動距離に達する毎に後述のキャプチャ信号出力部２１に出力される。
【００２６】
１−９．操作ログ判定部
操作ログ判定部２０は、操作ログ情報格納部１２に格納される操作ログ情報に基づいて、記録装置１で行われた操作の判定を行う。操作ログ判定部２０は、操作ログ情報が操作ログ情報格納部１２に格納されるタイミングに合わせて操作の判定を行う。そして、ユーザによりアプリケーションの起動等の特定の操作が行われたと判定すると、キャプチャ信号出力部２１に対して、特定の操作が行われたことを示す判定信号を出力する。
【００２７】
１−１０．キャプチャ信号出力部
キャプチャ信号出力部２１は、積算移動距離が設定された目標移動距離に達する毎にキャプチャ信号を出力する。キャプチャ信号は、後述のキャプチャ画像生成部２２が、キャプチャ画像を生成するタイミングとなる信号である。また、このように積算移動距離が設定された目標移動距離に達した場合には、上述のように移動距離積算部１９が計数している積算移動距離をクリアするために、移動距離積算部１９に対してもキャプチャ信号が出力される。一方、位置評価値算定部１４によりカーソルＣｕが表示物上に位置すると算定された場合や、操作ログ判定部２０によりユーザによりアプリケーションの起動等の特定の操作が行われたと判定された場合にも、キャプチャ信号出力部２１はキャプチャ信号を出力する。なお、このような場合は、キャプチャ信号は付加的な出力であることから、積算移動距離をクリアする必要がないため、キャプチャ信号は移動距離積算部１９には出力されない。
【００２８】
１−１１．キャプチャ画像生成部
キャプチャ画像生成部２２は、キャプチャ信号に基づいて操作画面からキャプチャ画像の生成を行う。キャプチャ信号は、上述のキャプチャ信号出力部２１からキャプチャ画像生成部２２に対して出力される。ここで、モニタ１Ａには、図示しない表示画面生成部により生成された画像データに基づいた画像が表示される。この表示画面生成部とモニタ１Ａとの間で、ＶＲＡＭ２５は画像データの送受を行う。したがって、実際には、ＶＲＡＭ２５が扱う操作画面は、操作画面データであるが、本発明においては両者を区別する必要がないため、以降の説明においては特に断りがない限り、操作画面データも操作画面として扱うこととする。上述のように、ＶＲＡＭ２５には、モニタ１Ａに表示されるユーザの操作状況を示す操作画面が設定される。この操作画面から、キャプチャ画像生成部２２はキャプチャ信号が出力された時刻に対応する操作画面をキャプチャしてキャプチャ画像を生成する。キャプチャ画像の生成は、種々の公知技術を用いて行うと好適である。
【００２９】
１−１２．キャプチャ画像格納部
キャプチャ画像格納部２３は、キャプチャ画像生成部２２により生成されたキャプチャ画像を記録する。キャプチャ画像格納部２３には、上述のように本記録装置１が備える各機能部により種々の処理が行われ、カーソルＣｕの移動距離が一定となるようなタイミングで生成されたキャプチャ画像が記録される。したがって、ユーザはキャプチャ画像格納部２３に記録されるキャプチャ画像を順次読み出して再生するだけで、カーソルＣｕの移動が一定となるように再生を行うことができるため、ユーザの目をカーソルＣｕの動きに追従しやすくできる。
【００３０】
１−１３．キャプチャ画像の生成過程
次に、本記録装置１が、操作画面からキャプチャ画像を生成する生成課程について図を用いて説明する。図３は、モニタ１Ａに表示される操作画面である。なお、図３は、（ａ）から（ｌ）まで、取得時間ｔ１からｔ１２としてコマ送り画像のように示しているが、実際の操作画面はこのようなコマ送り画像ではなく、連続した画像からなる操作画面であり、ここでは、一例として１秒毎に一時記録された画像として図示している。取得時間ｔ１からｔ４の間に取得された（ａ）の画面から（ｄ）の画面ではカーソルＣｕの移動があるが、取得時間ｔ４からｔ５の間では（ｄ）の画面から（ｅ）の画面に示されるようにカーソルＣｕの移動が見られない。また、同様に、取得時間ｔ５からｔ１２の間は（ｅ）の画面から（ｌ）の画面に示されるようにカーソルＣｕの移動がある。
【００３１】
図４は、カーソル位置情報取得部１１により取得されたカーソル位置情報の一例を示している。カーソル位置情報は、操作画面上でのカーソルＣｕの位置を示す情報であり、カーソルＣｕの位置情報を取得した取得時間と、その取得時間におけるｘ座標及びｙ座標とからなる座標情報とが含まれる。図４の例では、取得時間はｔ１からｔ１２としている。その取得間隔は一例として１秒毎としているが、実際には、順次リアルタイムでカーソル位置情報がカーソル位置情報取得部１１により取得される。なお、本実施形態においては、操作画面の領域を１０２４×７６８（ｄｏｔ）の領域とし、領域の左下のｘ座標が０、ｙ座標が０と、領域の右上のｘ座標が１０２４、ｙ座標が７６８としている。しかしながら、これに限定されず、異なる領域の操作画面に対して、本発明を適用することも可能であるし、領域の左下以外の位置を基準座標とすることも当然に可能である。
【００３２】
次に、図４について説明する。１５時１５分３０秒（取得時間ｔ１）の時には、カーソルＣｕがｘ座標７４０、ｙ座標２２１の位置にあることを示す。そして、１５時１５分３１秒（取得時間ｔ２）の時には、カーソルＣｕがｘ座標５７５、ｙ座標２６２の位置にあることを示す。したがって、この間でカーソルＣｕが移動していることがわかる。以下、ユーザにより行われるポインティングデバイス１Ｂの操作に応じて、リアルタイムでカーソルＣｕの位置情報がカーソル位置情報取得部１１により取得される。なお、図３（ｄ）の画面から（ｅ）の画面で説明したように、１５時１５分３３秒（取得時間ｔ４）から１５時１５分３４秒（取得時間ｔ５）の間では、カーソルＣｕの位置情報（ｘ座標１９０、ｙ座標４５２）が変わっていない。したがって、このカーソル位置情報により、この間にはカーソルＣｕの移動がないことがわかる。
【００３３】
図５は、カーソルＣｕの移動距離の算定結果である。図４に示されるカーソル位置情報がカーソル位置情報取得部１１により取得されるタイミングに合わせて、カーソル移動距離算定部１５は、カーソルＣｕの移動距離の算定を行う。具体的には、図４において、取得時間ｔ１及びｔ２におけるカーソル位置情報が取得されると、図５に示されるように取得時間ｔ１からｔ２におけるｘ座標の移動距離「ｘ１−ｘ２」とｙ座標の移動距離「ｙ１−ｙ２」とが、夫々「−１６５」ｄｏｔ、「４１」ｄｏｔとして演算され、そして、この時間における移動距離が「１７０」ｄｏｔとして求められる。次に、取得時間ｔ３におけるカーソル位置情報が取得されると、取得時間ｔ２からｔ３におけるｘ座標の移動距離「ｘ２−ｘ３」とｙ座標の移動距離「ｙ２−ｙ３」とが、夫々「−１１５」ｄｏｔ、「６０」ｄｏｔとして演算され、そして、この時間における移動距離が「１３０」ｄｏｔとして求められる。以下、同様にカーソル位置情報の取得に合わせて行われ、カーソルＣｕの移動距離が算定される。なお、本実施形態における移動距離の負の符号は、ｘ座標では操作画面内において右から左への移動を示し、ｙ座標では操作画面内の上から下への移動を示すが、基準座標の設定により決まるものであり、これに限定されるものではない。
【００３４】
図６は、図５に示される移動距離の算定結果から、移動距離を積算して求められた積算移動距離計数結果と、それに対応するキャプチャ信号の出力タイミングを図示したものである。ここで、座標情報はｄｏｔ単位で取得されていることから、移動距離や積算移動距離の単位も「ｄｏｔ」となる。なお、この単位は「ｄｏｔ」に限るものではなく、画面上の長さ（例えば、インチやｃｍ）等を使用することも可能である。
【００３５】
本実施形態においては目標移動距離が「３００」ｄｏｔとして設定されている場合の例として説明する。取得時間ｔ１からｔ２までの間の積算移動距離は、取得時間ｔ１からｔ２までの間の移動距離が「１７０」ｄｏｔであるため、「１７０」ｄｏｔである。この段階では積算移動距離が目標移動距離に達していないため、キャプチャ信号出力部２１からキャプチャ信号は出力されない。即ち、キャプチャ信号は「Ｌｏｗ」である。ここで、カーソルＣｕが、この状態から「１３０」ｄｏｔ移動すると、積算移動距離が目標移動距離「３００」ｄｏｔに達する。取得時間ｔ２における積算移動距離（「１７０」ｄｏｔ）からカーソルＣｕが「１３０」ｄｏｔ移動した時が取得時間ｔ３である、即ち積算移動距離が取得時間ｔ３で「３００」ｄｏｔに達したため、キャプチャ信号出力部２１がキャプチャ画像生成部２２にキャプチャ信号を出力する。即ち、キャプチャ信号が「Ｈｉｇｈ」となる。キャプチャ画像生成部２２にキャプチャ信号が出力されると、キャプチャ画像生成部２２はＶＲＡＭ２５にある操作画面のうち、キャプチャ信号を出力させたタイミングに対応する操作画面からキャプチャ画像を生成する。この時に生成されたキャプチャ画像は図７（ｂ）のようになる。なお、図７（ａ）は開始時点の操作画面としてキャプチャ画像格納部２３に記録されたキャプチャ画像である。また、キャプチャ信号は移動距離積算部１９に対しても出力され、このキャプチャ信号に応じて移動距離積算部１９の積算移動距離がクリアされる。したがって、取得時間ｔ３以降の積算移動距離計数は、「０」から始まることとなる。
【００３６】
図６に示されるように、取得時間ｔ３以降、移動距離積算部１９は、引き続き「０」からカーソルＣｕの積算移動距離を計数し、次にカーソルＣｕの積算移動距離が「３００」ｄｏｔとなった時、即ち取得時間ｔ４の時にキャプチャ信号として「Ｈｉｇｈ」が出力される。このキャプチャ信号に応じてキャプチャ画像生成部２２は、ＶＲＡＭ２５にある操作画面のうち、キャプチャ信号を出力させたタイミングに対応する操作画面からキャプチャ画像を生成し、図７（ｃ）示されるようなキャプチャ画像がキャプチャ画像格納部２３に記録される。以降、同様にカーソル位置情報に基づいて積算移動距離が計数される。
【００３７】
ここで、図６において、取得時間ｔ５からｔ６までの間の積算移動距離は「１４５」ｄｏｔである。しかしながら、キャプチャ信号として「Ｈｉｇｈ」が出力されている。これは、取得時間ｔ６に対応する操作画面において、カーソルＣｕが表示物（アイコン）上に位置するため、位置評価値算定部１４が当該時刻（ｔ６）におけるカーソルＣｕの位置評価値を高く算定したことに起因する。このように積算移動距離が目標移動距離に達していなくても、位置評価値算定部１４により位置評価値が高いと算定されれば、キャプチャ信号出力部２１はキャプチャ信号を出力する。したがって、当該取得時間ｔ６に対応する操作画面からキャプチャ画像生成部２２は図７（ｄ）のようなキャプチャ画像を生成し、キャプチャ画像格納部２３に記録する。また、この場合には、キャプチャ信号はカーソルＣｕが表示物上に位置するため付加的に出力されたものであるため、移動距離積算部１９に対してキャプチャ信号は出力されない。したがって、積算移動距離はクリアされず、継続して計数される。
【００３８】
以下、同様に処理が行われ、積算移動距離が目標移動距離に達する毎や、位置評価値が高く算定される毎や、図示はしないが操作ログ判定部２０の判定結果に基づいてユーザにより特定の操作が行われる毎に、キャプチャ画像がキャプチャ画像格納部２３に記録される。このようにしてキャプチャ画像格納部２３に記録されたキャプチャ画像を図７に示す。本記録装置１が備える再生機能（図示しない）により、キャプチャ画像格納部２３に記録されているキャプチャ画像を順次、読み出して再生することにより、ユーザの目がカーソルＣｕの動きに追従しやすいように再生することが可能となる。
【００３９】
１−１４．キャプチャ画像の生成方法
次に、本実施形態に係る記録装置１において実行されるキャプチャ画像生成処理の手順について説明する。図８は、本実施形態に係るキャプチャ画像生成処理の全体の手順を示すフローチャートである。以下に説明するキャプチャ画像生成処理の手順は、上記の記録装置１の各機能部を構成するハードウェア又はソフトウェア（プログラム）或いはその両方の組み合わせにより実行される。
【００４０】
まず、目標移動距離設定部１７により目標移動距離が設定される（ステップ＃０１）。当該目標移動距離は、予め所定の値に設定しておくことも可能であるし、ユーザが所望する値を入力デバイス（例えばキーボード等）で入力して設定することも可能である。次に、位置評価値算定部１４が、カーソル位置情報取得部１１により取得されたカーソル位置情報を抽出し（ステップ＃０２）、カーソルＣｕが操作画面に表示されるアイコンやタスクバーやアプリケーションのウィンドウ等の表示物上にあるか否かの算定を行う。この表示物の座標を示す情報は、表示物情報として表示物情報格納部１０に格納されている。
【００４１】
そして、カーソル移動距離算定部１５が、カーソル位置情報に基づいて、カーソルＣｕの移動距離の算定を行う（ステップ＃０３）。次に、移動距離積算部１９が移動距離算定結果に基づいて積算移動距離の計数を行い（ステップ＃０４）、移動距離比較部１８が得られた積算移動距離と目標移動距離設定部１７により設定された目標移動距離との比較を行う（ステップ＃０５）。積算移動距離が目標移動距離に達していれば（ステップ＃０６：Ｙｅｓ）、キャプチャ信号出力部２１は、移動距離積算部１９にキャプチャ信号を出力する（ステップ＃０７）。そして、このキャプチャ信号を受けて、移動距離積算部１９は、計数している積算移動距離をクリアする（ステップ＃０８）。
【００４２】
また、キャプチャ信号が、キャプチャ信号出力部２１からキャプチャ画像生成部２２に出力されると（ステップ＃０９）、キャプチャ画像生成部２２は、ＶＲＡＭ２５からキャプチャ信号を出力させたカーソル位置情報に対応する操作画面をキャプチャしてキャプチャ画像を生成し、キャプチャ画像格納部２３に記録する（ステップ＃１０）。そして、処理を継続しない場合には（ステップ＃１１：Ｙｅｓ）、終了する。
【００４３】
ステップ＃０６において、積算移動距離が目標移動距離に達していなければ（ステップ＃０６：Ｎｏ）、表示物情報とカーソル位置情報とから、位置評価値算定部１４が、カーソルＣｕが表示物上にあるか否かの算定を行う。カーソルＣｕが表示物等の所定位置上にあれば（ステップ＃１２：Ｎｏ）、キャプチャ信号出力部２１はキャプチャ信号をキャプチャ画像生成部２２に出力する（ステップ＃０９）。一方、カーソルＣｕが所定位置上になければ（ステップ＃１２：Ｙｅｓ）、操作ログ判定部２０が操作ログ情報格納部１２に格納されている操作ログ情報を抽出し（ステップ＃１３）、プログラムが起動されたか否かの確認を行い、その判定結果をキャプチャ信号出力部２１に出力する。プログラムが起動されていれば（ステップ＃１４：Ｎｏ）、キャプチャ信号出力部２１はキャプチャ信号をキャプチャ画像生成部２２に出力する（ステップ＃０９）。一方、プログラムが起動されていなければ（ステップ＃１４：Ｙｅｓ）、ステップ＃１１から処理を継続する。
【００４４】
ステップ＃１１において、処理を継続する場合には（ステップ１１：Ｎｏ）、目標移動距離の変更をするか否かの確認を行う。目標移動距離を変更しない場合には（ステップ＃１５：Ｙｅｓ）、ステップ＃０２から処理を継続する。一方、目標移動距離を変更する場合には（ステップ＃１５：Ｎｏ）、ユーザが所望する目標移動距離に変更し（ステップ＃１６）、ステップ＃０１から処理を継続する。上記フローにより、カーソルＣｕの動きが一定となるようにキャプチャ画像を記録することが可能となり、記録されたキャプチャ画像を再生する際にユーザがカーソルＣｕを見失うといった問題を生じないようにすることができる。
【００４５】
ここで、プログラムが起動されていないにも拘らず（ステップ＃１４：Ｙｅｓ）、処理を継続しない場合には（ステップ＃１１：Ｙｅｓ）、最後に判定を行ったカーソル位置情報に対応する操作画面からキャプチャ画像を生成し、キャプチャ画像格納部２３に記録しても良い。
【００４６】
２．第二の実施形態
次に、本発明に係る第二の実施形態について説明する。図９は、第二の実施形態に係る記録装置１の概略構成を模式的に示した図である。第一の実施形態では目標移動距離が操作画面内において一様に設定されるとして説明したが、第二の実施形態は、操作画面が区画毎に分割され、当該区画毎に目標移動距離が設定される点において、第一の実施形態と異なる。第二の実施形態に係る位置評価値算定部１４が算定する位置評価値、目標移動距離設定部１７が設定する目標移動距離、操作画面分割部２６が行う操作画面の分割以外の各機能部等の構成については第一の実施形態と同様である。そのため、以下では位置評価値算定部１４、目標移動距離設定部１７、操作画面分割部２６を中心に説明する。なお、本説明に記載の符号は、第一の実施形態における説明に用いた符号と同様のものを用いて説明する。
【００４７】
２−１．位置評価値算定部
位置評価値算定部１４は、第一の実施形態と同様、カーソル位置情報と表示物情報とに基づいてカーソルＣｕの位置評価値の算定を行う。この位置評価値は、第一の実施形態と同様、カーソルＣｕの位置と表示物の位置との関係を規定する値であり、具体的には、カーソルＣｕがアイコンやタスクバーやアプリケーションのウィンドウ等の表示物上にあれば高くなる。また、本実施形態においては、位置評価値算定部１４は位置評価値の他に操作画面重要度の算定も行う。この操作画面重要度は、表示物情報により操作画面の重要度を示す値である。具体的には、表示物が存在する操作画面領域の操作画面重要度は高くなり、表示物情報に応じて変化する。そして、この操作画面重要度に応じて、目標移動距離設定部１７は区画毎の目標移動距離の設定を変更することも可能である。詳細は、後述する。
【００４８】
２−２．操作画面分割部
操作画面分割部２６は、操作画面を区画毎に分割する。操作画面を区画毎に分割した一例を図１０に示す。図１０においては、操作画面のｘ座標とｙ座標とを夫々４分割し、１６個の区画になるように分割しているが、これに限定されるもではなく、また、等分割されることに限定されるものでもない。
【００４９】
２−３．目標移動距離設定部
目標移動距離設定部１７は、操作画面分割部２６により分割された区画毎に目標移動距離を設定する。目標移動距離設定部１７により区画毎に設定された目標移動距離の一例を図１１に示す。目標移動距離の設定は、図１１に示されるように全区画に対して行われる。また、目標移動距離設定部１７は、位置評価値算定部１４が算定した操作画面重要度に応じて、区画の目標移動距離の設定を変更することも可能である。図１１に示されるように、操作画面分割部２６によって分割された区画（例えば図１０における区画１、区画５、及び区画９）に表示物であるアイコン等がある場合には、表示物が存在する操作画面の操作画面重要度が高くなる。したがって、この操作画面重要度に応じて、目標移動距離設定部１７は目標移動距離を短く設定する。ここで、座標情報はｄｏｔ単位で取得されていることから、移動距離や積算移動距離の単位も「ｄｏｔ」となる。なお、この単位は「ｄｏｔ」に限るものではなく、画面上の長さ（例えば、インチやｃｍ）等を使用することも可能である。
【００５０】
２−４．キャプチャ画像の生成方法
次に、本実施形態に係る記録装置１において実行されるキャプチャ画像生成処理の手順について説明する。図１２は、本実施形態に係るキャプチャ画像生成処理の全体の手順を示すフローチャートである。以下に説明するキャプチャ画像生成処理の手順は、上記の記録装置１の各機能部を構成するハードウェア又はソフトウェア（プログラム）或いはその両方の組み合わせにより実行される。
【００５１】
まず、操作画面分割部２６が、モニタ１Ａに操作画面を表示する領域を区画毎に分割する（ステップ＃０１）。そして、目標移動距離設定部１７が、分割された区画毎に目標移動距離の設定を行う（ステップ＃０２）。この際、別途、目標移動距離入力部（図示しない）によりユーザが所望する目標移動距離を設定することも可能である。
【００５２】
次に、位置評価値算定部１４が、カーソル位置情報取得部１１に取得されたカーソル位置情報を抽出する（ステップ＃０３）。そして、当該カーソル位置情報に基づいて、カーソルＣｕの移動が他の区画への移動であるか否かの確認を行う。カーソルＣｕの移動が他の区画への移動でなければ（ステップ＃０４：Ｙｅｓ）、以降のステップの処理が継続される。一方、カーソルＣｕの移動が他の区画への移動であれば（ステップ＃０４：Ｎｏ）、カーソルＣｕの移動先である区画の目標移動距離が読み込まれ、目標移動距離として設定される（ステップ＃０５）。そして、以降のステップの処理が継続される。そして、カーソル移動距離算定部１５が、カーソル位置情報取得部１１に取得されたカーソル位置情報に基づいて、カーソルＣｕの移動距離の算定を行う（ステップ＃０６）。
【００５３】
次に、移動距離積算部１９が移動距離算定結果に基づいて積算移動距離の計数を行い（ステップ＃０７）、移動距離比較部１８が、得られた積算移動距離と目標移動距離設定部１７により設定された目標移動距離との比較を行う（ステップ＃０８）。積算移動距離が目標移動距離に達していれば（ステップ＃０９：Ｙｅｓ）、キャプチャ信号出力部２１は、移動距離積算部１９にキャプチャ信号を出力する（ステップ＃１０）。そして、このキャプチャ信号を受けて、移動距離積算部１９は、計数している積算移動距離をクリアし（ステップ＃１１）、処理を継続する。
【００５４】
キャプチャ信号が、キャプチャ信号出力部２１からキャプチャ画像生成部２２に出力されると（ステップ＃１２）、キャプチャ画像生成部２２は、ＶＲＡＭ２５からキャプチャ信号を出力させたカーソル位置情報に対応する操作画面をキャプチャしてキャプチャ画像を生成し、キャプチャ画像格納部２３に記録する（ステップ＃１３）。そして、処理を継続しない場合には（ステップ＃１４：Ｙｅｓ）、終了する。
【００５５】
また、ステップ＃０９において、積算移動距離が目標移動距離に達していない場合には（ステップ＃０９：Ｎｏ）、表示物情報とカーソル位置情報とから、位置評価値算定部１４が、カーソルＣｕが表示物上にあるか否かの算定を行う。カーソルＣｕが表示物等の所定位置上にあれば（ステップ＃１５：Ｎｏ）、キャプチャ信号出力部２１はキャプチャ信号をキャプチャ画像生成部２２に出力する（ステップ＃１２）。一方、カーソルＣｕが所定位置上になければ（ステップ＃１５：Ｙｅｓ）、操作ログ判定部２０が操作ログ情報格納部１２に格納されている操作ログ情報を抽出し（ステップ＃１６）、プログラムが起動されたか否かの確認を行い、その判定結果をキャプチャ信号出力部２１に出力する。プログラムが起動されていれば（ステップ＃１７：Ｎｏ）、キャプチャ信号出力部２１はキャプチャ信号をキャプチャ画像生成部２２に出力する（ステップ＃１２）。一方、プログラムが起動されていなければ（ステップ＃１７：Ｙｅｓ）、ステップ＃１４から処理を継続する。
【００５６】
ここで、プログラムが起動されていないにも拘らず（ステップ＃１７：Ｙｅｓ）、処理を継続しない場合には（ステップ＃１４：Ｙｅｓ）、最後に判定を行ったカーソル位置情報に対応する操作画面からキャプチャ画像を生成し、キャプチャ画像格納部２３に記録しても良い。
【００５７】
３．その他の実施形態
上記実施形態では、表示物情報が、アイコンの座標を表すアイコン情報と、タスクバーの座標を表すタスクバー情報と、アプリケーションのウィンドウの座標を示すウィンドウ情報とからなるとして説明した。しかしながら、本発明の適用範囲は、これに限定されるものではない。これら以外にユーザが画面上の任意の場所を指定することも当然に可能である。このような構成であっても、指定された位置にカーソルＣｕがある場合には位置評価値算定部１４の算定した位置評価値に応じて、キャプチャ信号出力部２１がキャプチャ信号を出力することは可能である。
【００５８】
上記実施形態では、操作ログ判定部２０が、操作ログ情報格納部１２から抽出された操作ログ情報にプログラムの起動を表す操作ログがあるか否かの確認を行い、該操作ログがあればキャプチャ信号出力部がキャプチャ信号を出力するとして説明した。しかしながら、本発明の適用範囲は、これに限定されるものではない。プログラムの起動以外にも、例えば、ファイルの削除や移動やコピー等のファイル操作等の特定の操作を示す操作ログがある場合にもキャプチャ信号を出力することは当然に可能である。
【００５９】
上記実施形態では、位置評価値算定部１４によりカーソルＣｕが表示物上に位置すると算定された場合や、操作ログ判定部２０によりユーザによりアプリケーションの起動等の特定の操作が行われたと判定された場合には、付加的にキャプチャ信号が出力されるとして説明した。そして、この場合には、キャプチャ信号が付加的な出力であることから、積算移動距離をクリアしないとして説明した。しかしながら、本発明の適用範囲は、これに限定されるものではない。カーソルＣｕが表示物上に位置すると算定された場合や、ユーザによりアプリケーションの起動等の特定の操作が行われたと判定された場合にも、キャプチャ信号を移動距離積算部１９に出力し、積算移動距離をクリアする構成とすることも、当然に可能である。
【００６０】
上記実施形態では、キャプチャ画像生成部２２は、ＶＲＡＭ２５にある操作画面をキャプチャしてキャプチャ画像を生成するとして説明した。しかしながら、本発明の適用範囲は、これに限定されるものではない。例えば、ＶＲＡＭ２５の替わりに、ＲＡＭ又はこれに準ずる記憶部を構成し、これらに一時記憶されている操作画面をキャプチャしてキャプチャ画像を生成することも当然に可能である。
【００６１】
上記第二の実施形態では、操作画面分割部２６によって分割された区画に表示物としてのアイコンがある場合には、目標移動距離設定部１７が、目標移動距離を短く設定するとして説明した。しかしながら、本発明の適用範囲は、これに限定されるものではない。例えば、区画内に位置するアイコンの数に応じて目標移動距離を変化させることも当然に可能である。また、区画毎の分割は図１０に示されるような四角形に限らず、多角形や円形等で行うことも可能である。
【００６２】
上記第二の実施形態では、キャプチャ信号が、積算移動距離が区画毎に設定された目標移動距離に達する毎に出力されるとして説明した。しかしながら、本発明の適用範囲は、これに限定されるものではない。例えば、カーソルＣｕが区画を横切った際にキャプチャ信号を出力するように構成することも、当然に可能である。
【００６３】
上記第二の実施形態におけるフローチャートのステップ＃０４にてカーソル位置情報に基づきカーソルＣｕが他の区画への移動であるか否かを判定するとして説明した。しかしながら、本発明の適用範囲は、これに限定されるものではない。例えば、カーソル位置情報から区画を特定し、その区画の目標移動距離を取得するように構成することも可能である。
【００６４】
上記第二の実施形態では、操作画面分割部２６は、表示物に基づいて操作画面を複数の区画に分割するとして説明した。しかしながら、本発明の適用範囲は、これに限定されるものではない。例えば、操作画面のうち表示物が表示される表示情報領域と、その表示情報領域以外の領域とに分割することができる。図１３に示されるように、アイコンが並ぶ領域（アイコン領域とする）と、アイコン領域を除いた領域（非アイコン領域とする）とに分けられる。そして、アイコン領域にカーソルＣｕが位置する場合には、アプリケーションやファイルの操作等が行われる可能性が高いことから、目標移動距離を短く設定することができると共に、非アイコン領域においては分割された区画毎に目標移動距離を設定することができる。更に、図１３のように設定された状態から、図１４のようにアイコン領域が大きくなった場合には、非アイコン領域において目標移動距離を再設定するようにすることも可能である。或いは、アプリケーションの起動等により表示物が表示される領域が変化すると、それに伴い分割される区間および目標移動距離が変更されるように構成することも可能である。
【００６５】
また、上記第二の実施形態では、操作画面重要度に応じて、目標移動距離設定部１７は区画の目標移動距離の設定を変更すると説明したが、操作画面重要度を用いずに、目標移動距離を設定することも可能である。
【００６６】
上記第二の実施形態において、カーソルＣｕの移動距離に基づいてキャプチャ画像の生成を行うとして説明した。しかしながら、本発明の適用範囲は、これに限定されるものではない。例えば、カーソルＣｕの移動距離をポイント値（移動ポイント：Ｐ）に置き換え、当該ポイント値に応じてキャプチャ画像の生成を行うように構成することも可能である。このような場合には、移動距離係数決定部が区画毎に移動距離係数Ｋを設定し、移動ポイント算定部が当該移動距離係数Ｋとカーソル移動距離算定部１５が演算したカーソルＣｕの移動距離とに応じて、例えば、Ｐ＝Ｋ×移動距離で示されるような移動ポイントＰを算定する。この移動距離係数Ｋの値は、区画毎に変動するようにして、予め設定された所定の生成ポイントに達する毎に、キャプチャ信号出力部２１がキャプチャ信号を出力するように構成しても良い。ここで、生成ポイントとは、キャプチャ画像を生成するタイミングの決定に用いられる指標であり、上述の第一の実施形態に係る目標移動距離に対応するものである。また、当該生成ポイントは操作画面内において一定となるように予め設定し、移動距離係数Ｋをパラメータとして区画毎に設定することによりキャプチャ画像を生成するタイミングを変更することが可能である。例えば、重要度の低い区画では移動距離係数Ｋ＝０．５、重要度の高い区画では移動距離係数Ｋ＝１として設定し、そして、生成ポイントを１００として設定した場合には、移動ポイントＰ＝１００になった際にキャプチャ画像を生成すると、重要度の高い区画では移動距離＝１００毎にキャプチャ画像が生成されるのに対し、低い区画では移動距離＝２００毎にキャプチャ画像が生成される。このように構成すると、同じ移動距離では重要度の低い区画の方が高い区画に比べてキャプチャ画像の生成を少なくすることができる。したがって、記録容量の低減も可能となる。
【００６７】
また、上記第二の実施形では、図１２のフローチャートのステップ＃１４において、処理を継続する場合には（ステップ＃１４：Ｎｏ）、ステップ＃０３から処理を継続するとして説明した。しかしながら、本発明の適用範囲は、これに限定されるものではない。例えば、アプリケーション等を立ち上げることにより、区画が変化した場合には、ステップ＃０１から処理を継続するような構成とすることも、当然に可能である。
【図面の簡単な説明】
【００６８】
【図１】本発明に係る記録装置の構成を模式的に示した図
【図２】第一の実施形態に係る記録装置の概略構成を模式的に示したブロック図
【図３】第一の実施形態に係る操作画面の一例を示した図
【図４】第一の実施形態に係るカーソル位置情報の一例を示した図
【図５】第一の実施形態に係るカーソルの移動距離の算定結果の一例を示した図
【図６】第一の実施形態に係る積算移動距離の計数結果とキャプチャ信号の出力タイミングの一例を示した図
【図７】第一の実施形態に係る操作画面から生成されたキャプチャ画像の一例を示す図
【図８】第一の実施形態に係るカーソルの移動距離に応じてキャプチャ画像を生成するためのフローチャート図
【図９】第二の実施形態に係る記録装置の概略構成を模式的に示したブロック図
【図１０】操作画面を区画毎に分割した一例を示す図
【図１１】区画毎に設定された目標移動距離の一例を示す図
【図１２】第二の実施形態に係るカーソルの移動距離に応じてキャプチャ画像を生成するためのフローチャート図
【図１３】その他の実施形態に係るアイコン領域を除いて区画毎に分割した一例を示す図
【図１４】アイコン領域が大きくなった場合に区画毎に再分割した一例を示す図
【符号の説明】
【００６９】
１：記録装置
１０：表示物情報格納部
１１：カーソル位置情報取得部
１２：操作ログ情報格納部
１４：位置評価値算定部
１５：カーソル移動距離算定部
１７：目標移動距離設定部
１８：移動距離比較部
１９：移動距離積算部
２０：操作ログ判定部
２１：キャプチャ信号出力部
２２：キャプチャ画像生成部
２３：キャプチャ画像格納部
２５：ＶＲＡＭ
【図１】
0004429349.tif 000002
【図２】
0004429349.tif 000003
【図３】
0004429349.tif 000004
【図４】
0004429349.tif 000005
【図５】
0004429349.tif 000006
【図６】
0004429349.tif 000007
【図７】
0004429349.tif 000008
【図８】
0004429349.tif 000009
【図９】
0004429349.tif 000010
【図１０】
0004429349.tif 000011
【図１１】
0004429349.tif 000012
【図１２】
0004429349.tif 000013
【図１３】
0004429349.tif 000014
【図１４】
0004429349.tif 000015